(57)【特許請求の範囲】
【請求項１】
偏平なディスク状または板状の基体を有し、空気中に放出される物質の受容に役立ち、それぞれ、入口および出口を有し入口から供給されるガス流によって貫流可能な複数の独立のチャンネルが上記基体を基体上面および／または下面に本質的に平行に貫通し、少なくとも１つのチャンネルの入口および出口が、物質の放出まで気密に閉鎖されおよび／または少なくとも１つのチャンネルの物質が、物質の放出時点に始めて上記物質を解放する貯蔵器に装入されている形式の、空気中に放出される物質を調製する装置。
【請求項２】
少なくとも１つの入口および出口が、破壊可能な気密な閉鎖部材によって閉鎖されていることを特徴とする請求項１に記載の装置。
【請求項３】
閉鎖されたチャンネルが、内部に、少なくとも、放出される物質および／または不活性ガスを含むことを特徴とする請求項１に記載の装置。
【請求項４】
貯蔵器が、担持材料の破壊によって遊離されるよう担持材料内に封入された物質を含むことを特徴とする先行請求項１〜３の１つに記載の装置。
【請求項５】
大気または入口に供給されるガス流への物質放出を賦活するため、入口および／または出口の気密な閉鎖部材を開放または破壊するおよび／または物質の担持材料を破壊する作動手段を備えることを特徴とする先行請求項４に記載の装置。
【請求項６】
ガス状に放出される物質を調製する先行請求項４又は５に記載の装置において、
チャンネルが、少なくとも１つの入口と、ガス流が貫流する内部とを備え、
担持材料の破壊によって物質が遊離されるよう担持材料によって囲まれ大気中に放出される物質のために貯蔵器が、チャンネルに配されていることを特徴とする装置。
【請求項７】
チャンネルの気密な閉鎖部材または担持材料をねらいを定めて破壊する手段を備えることを特徴とする先行請求項６に記載の装置。
【請求項８】
ねらいを定めて破壊する手段が、装置自体に設置してあることを特徴とする請求項７に記載の装置。
【請求項９】
該破壊手段が、物質放出の賦活時に装置と作用結合されるよう装置とは別個に設けてあり、該手段が、ガス状物質の放出機器に装置を導入する際に作動するよう構成されていることを特徴とする請求項７に記載の装置。
【請求項１０】
気密な閉鎖部材または担持材料をねらいを定めて破壊する手段が、機械的および／または空気圧的手段であることを特徴とする請求項７〜９の１つに記載の装置。
【請求項１１】
チャンネルが、相互に移動可能な壁要素を有し、担持材料が、上記壁要素と作用結合することを特徴とする請求項４〜１０の１つに記載の装置。
【請求項１２】
該担持材料が、チャンネルの入口に隣接して配置され、かくして、入口を介してチャンネルの内部に向けられる空気流が、該チャンネル内に配置された担持材料の少なくとも部分を破壊することを特徴とする請求項４〜１１の１つに記載の装置。
【請求項１３】
該担持材料が、該チャンネルの横断面を閉鎖するようチャンネルの１つに設けてあり、かくして、チャンネルの空気入口内にガスを最初に吹込んだ際、担持材料が、物質遊離のため引裂かれることを特徴とする請求項４〜１２の１つに記載の装置。
【請求項１４】
該チャンネルには、放出すべき物質を富化したまたは含浸した吸着媒体が設けてあることを特徴とする先行請求項４〜１３の１つに記載の装置。
【請求項１５】
該担持材料の貯蔵器が、少なくとも部分的に封入されたマイクロカプセルを含み、マイクロカプセルには、遊離される物質が封入されていることを特徴とする先行請求項４〜１４の１つに記載の装置。
【請求項１６】
複数のチャンネルまたは基体が、上面の外被層（８）と、下部外被層（９）と、チャンネルを相互に区切る分離ウェブ（７）とから構成されていることを特徴とする先行請求項４〜１５の１つに記載の装置。
【請求項１７】
担持材料が、包被層（１１）と、包被層（１１）に着脱自在に結合された別の包被層（１２）と、双方の包被層（１１，１２）を結合する固着手段とを含み、上記包被層には貯蔵器が埋込まれていることを特徴とする請求項４〜１６の１つに記載の装置。
【請求項１８】
該チャンネルの少なくとも１つの入口をシールできることを特徴とする先行請求項１〜１７の１つに記載の装置。
【請求項１９】
複数のチャンネルが並置してあることを特徴とする請求項１〜１８の１つに記載の装置。
【請求項２０】
チャンネルが、中心に関して本質的に半径方向へ延びる状態に配置してあることを特徴とする請求項１９に記載の装置。
【請求項２１】
チャンネルが、少なくとも部分的に傾斜した状態にまたは相互に平行な状態に配置してあることを特徴とする請求項１９に記載の装置。
【請求項２２】
少なくとも、複数のチャンネルが、並べておよび／または上下に配置してあることを特徴とする先行請求項１〜２１の１つに記載の装置。
【請求項２３】
該貯蔵器が、チャンネルの一部のみを占めることを特徴とする先行請求項１〜２２の１つに記載の装置。
【請求項２４】
該貯蔵器が、少なくとも部分的に、生物学的に分解可能な材料から構成されていることを特徴とする先行請求項１〜２３の１つに記載の装置。
【請求項２５】
該貯蔵器が、チャンネルの横断面積を本質的に閉鎖するよう、チャンネルの入口又は出口の少なくとも１つに隣接させてチャンネルに固定してあり、ガスをチャンネルの入口又は出口の少なくとも１つに制御して供給する手段を有することを特徴とする先行請求項１〜２４の１つに記載の装置。
【請求項２６】
該物質は香料を含むことを特徴とする請求項１〜２５の１つに記載の装置。
【請求項２７】
物質を遊離する方法であって、物質をマイクロカプセルに封入して担持材料に埋込んだ形式のものにおいて、マイクロカプセルを埋め込んだ担持材料を、該物質がガス状に放出されるようにガスの運動エネルギによって引裂くことを特徴とする方法。
【請求項２８】
ガスとして空気を使用することを特徴とする請求項２７に記載の方法。
【請求項２９】
空気にヘリウムを混合することを特徴とする請求項２８に記載の方法。
【請求項３０】
空気に１〜２０容積％のヘリウムを混合することを特徴とする請求項２９に記載の方法。
【請求項３１】
該物質は香料を含むことを特徴とする請求項２７〜３０の１つに記載の方法。
【請求項３２】
請求項２７〜３１の１つに記載の方法を実施するための装置において、下記要素：即ち、
−ガス流を形成する装置と、
−先行請求項１〜２６の１つに記載の少なくとも１つの装置と、
−ガス流を各チャンネルに選択的に導入する手段と、
を備えることを特徴とする装置。
【請求項３３】
装置を可動に支持する装置を有することを特徴とする請求項３２に記載の装置。
【請求項３４】
装置を不動に支持する装置と、チャンネルの１つまたは複数の開口に選択的にまたは同時に供給する手段とを有することを特徴とする請求項３２に記載の装置。
【請求項３５】
ガス流を形成する装置が、少なくとも１つのポンプであることを特徴とする請求項３２〜３４の１つに記載の装置。
【発明の詳細な説明】
【０００１】
【発明の属する技術分野】
本発明は、空気または空気混合物中に放出される香気を調製する方法および装置に関する。香気提供は、視覚的および／または聴覚的刺激および他の事象のために行うのが好ましい。別種の提供対象の場合、これは、香気以外に、エーロゾルの形で必要とされる微小量の他の物質であってもよい。物質は、同じく、気体の形であってもよい。従って、以下で、“空気”を対象とした場合、空気混合物も考えられる。
【０００２】
本発明は、視覚的および／または聴覚的提供対象の、特に、分散された媒体（例えば、テレビ映画、ビデオ映画、ラジオ放送の上演または音楽演奏など）のための感覚的な知覚を向上する方法および装置に関する。この場合、特定の視覚的および／または聴覚的現象（例えば、映画シーン）の提供に同期して上記事象に適合した香気を視聴者または聴取者に供給する。
【０００３】
【従来の技術】
このような方法および装置は、本出願人の特許出願ＰＣＴ／ＥＰ９２／０２４４６（特に、第１６，１７図の説明）に記載されている。
【０００４】
スペース内の空気改善のために空調装置とともに使用できる空気清涼化装置は、米国特許ＵＳ−Ａ−５２７３６９０から公知である。空気清涼化装置は、相互に分離されたセルまたは区画に一次元的または三次元的に配列された多数の香気担体を含む、担体は、各セルまたは各区画について、遊離された香気を流入する空気流に放出できるよう構成された破壊可能な壁を含む。担体は、固定要素によって支持構造体に固定でき、かくして、遊離された香気を空気流によってスペース全体に分布させることができる。
【０００５】
【発明が解決しようとする課題】
本発明の課題は、空気中に放出される物質を調製するための方法および装置を提供することにある。この場合、装置は、小さく取扱い易い寸法を有し、賦活し易い形の放出物質を含む。
【０００６】
【課題を解決するための手段】
この課題は、本発明にもとづき、独立請求項１及び３２に開示の装置および独立請求項２７に開示の方法によって解決される。本発明の好ましい実施形態および視点は、従属請求項、詳細な説明および図面から明らかであろう。
【０００７】
本発明にもとづき、偏平なディスク状または板状の基体を有し、空気中に放出される物質の受容に役立ち、それぞれ、入口および出口を有し入口から供給されるガス流によって貫流可能な複数の独立のチャンネルが上記基体を基体上面および／または下面に本質的に平行に貫通し、少なくとも１つのチャンネルの入口および出口が、物質の放出まで気密に閉鎖されおよび／または少なくとも１つのチャンネルの物質が、物質の放出時点に始めて上記物質を解放する貯蔵器に装入されている形式の、空気中に放出される物質（特に、香料）を調製する装置を提供する。
【０００８】
更に、本発明は、空気中に放出される物質（特に、香料）を調製する装置であって、
−少なくとも１つの入口を備え、ガス流が内部を貫流可能な少なくとも１つのチャンネルと、
−担持材料の破壊によって物質が遊離されるよう担持材料によって囲まれ（封入され）大気中に放出される物質のための、チャンネルに設けた少なくとも１つの貯蔵器と、
を特徴とする装置に関する。
【０００９】
担持材料の破壊とは、放出される物質が露出するよう、担持材料の完全性が変化されることを意味する。これは、積層体の引裂、折割およびその他の分割によって実施できる。
【００１０】
本発明は、さらなる視点にもとづき、香気カプセルを有し空気の流入時に分離フィルム自体の自動的分割によって賦活される貯蔵器に関する。
【００１１】
本発明の更に別の視点は、分散配置された香気発生器において放散操作（ａｂｓｐｉｅｌｅｎ）できる香気マイクロ貯蔵器に関する。この場合、マイクロ香気貯蔵器は、ディスケット（フロッピーディスク）状に構成できる。
【００１２】
空気中に放出される物質を調製する本発明に係る装置は、極めて小さく、取扱い易く、包装、発送し易いという利点を有する。別の利点は、装置が、香気を発散せず且つ混合しないよう複数の物質を受容できるという点にある。更に、解放された物質は、容易に賦活でき、運搬まで十分に保護される。
【００１３】
本発明は、特に、各フィルムに属する各種の香気ストック（香気セットないしグループ）を、低い製造コストで、極めて小さいスペース（コンパクト・ディスケットないしフロッピーディスク）に上記香気に貯蔵（好ましくは、フィルム当り２０−５０種類の香気）が保証され、その完璧な保存および迅速でトラブルのない運搬性が保証されるよう、作製、保管する方法および装置を使用する。
【００１４】
本発明のさらに別の視点は、空気中に放出される物質（特に、香料）のために、容易に分離できる半部（複数）からなる硬質材料製貯蔵器を使用する点にある。
【００１５】
本発明のさらに別の視点にもとづき、空気中に放出される貯蔵された物質（例えば、香料）を外界因子（例えば、圧力、衝撃、熱および損傷）に対して保護する偏平な硬質材料製保護部材を提供する。
【００１６】
さらに別の視点は、シールされた発散可能な香料を含む偏平な香料貯蔵器である。この場合、シールは、発散操作直前に除去する。
【００１７】
総括的に云えば、本発明は、多重香気セットのための偏平保存システム、特に、感圧性および／または感光性または感熱性の香料の偏平なまたはディスク状の硬質材料製保護部材を提供するものである。
【００１８】
さらに別の視点は、感圧性香料を保護する保護パイプを内部に設けた偏平な硬質材料性発送用貯蔵器である。
【００１９】
本発明のさらに別の視点は、カプセルに封入された香料を圧力、温度、湿度および光に対して保護して運搬するのに適したディスク状香料貯蔵器を提供することにある。
【００２０】
更に、空気中に放出される物質（特に、香料）を遊離する方法を提供する。この場合、該物質は、担持材料中にマイクロカプセルに封入して埋込まれ、上記担持材料は、この担持材料に埋込まれた香料マイクロカプセルをガスの運動エネルギによって破壊できることを特徴とする。
【００２１】
即ち、本発明にもとづき、分散配置された香気発生器（香気プレーヤ）内の事象関連の香気の自動的発散のためのマイクロ香気貯蔵器システム（香気ディスケット）を創成し、かくして、映画、音楽およびその他の事象における分散され同時に時間的に同期された香気随伴が可能となる。
【００２２】
視覚的および／または聴覚的刺激のために香気の貯蔵スペースを最小化し、分散して且つ同期して香気を提供する本発明に係る方法の好ましい実施形態にもとづき、必要な香料を備えた香気マイクロ貯蔵器を、音楽用ＣＤから凡そ公知の如き、極めて偏平なコンパクト・ディスク１の形に作製する。
【００２３】
この場合、香気担持材料のこの極めて小さく偏平な実施形態は、香気接触面積が比較的大きいにも拘わらず、極く僅かなスペースを占めるに過ぎず、かくして、特定の映画にそれぞれ属する香気セットを多数の視聴者に迅速且つ多量に分配できるという利点を有する。
【００２４】
この形態の香気セット担持材料の場合、この担持材料を、例えば、日刊新聞またはテレビ新聞または製品（例えば、コーヒ包装製品）などに貼付けることができる。かくして、テレビ映画に属するすべての香気（香気セット）を放送時点に関心のあるすべての視聴者に提供でき、しかも、各テレビ視聴者は、香気バージョンとして見たいと思う映画について、それぞれ香気用ＣＤを購入する必要はない。
【００２５】
日刊新聞またはテレビ新聞または郵便物に偏平なコンパクト・ディスクとして添付され映画に正確に合わせて構成され完璧に保護された香気セットの迅速な分散配分によって、テレビ映画または他の報道事象に属する香気（香気セット）を、放送時点に既に、関心を有するすべての視聴者に完璧に保存された状態で提供でき、しかも、各テレビ視聴者は、香気バージョンとして見たいと思う映画のための新規の対応する香気セットを購入するために商店に行く必要はない。
【００２６】
かくして、メディアの分野において、始めて、分散した多数の視聴者のために、映画に正確に適合する多種多様の香気セットの迅速な配分、長期の保存および分散され時間的に同期した放散が可能となる。
【００２７】
この場合、始めて、担持物質（例えば、空気）が、閉鎖、保存された香料を閉鎖状態から自動的に開放し、漸次的に引出し、随伴する形式の技術も実現される。即ち、この技術の場合、香料は、供給時点の直前まで空気遮断状態に保持され、従って、極めて小さいスペースに収納したにも拘わらず、早期の劣化プロセスは確実に回避される。
【００２８】
このディスクは、医療技術において、極めて少量の医薬の管理された投与にも使用できる。
【００２９】
しかしながら、２値情報を担持する偏平なコンピュータ・ディスケットおよび音楽ＣＤとは異なり、香気の保存および分配は、香気の物質的形状に拘束される。この場合、香気の各種の微小ストックは、特定の種類の香気トラックの形でこの種のディスクの２つの半部の一方の内面に塗布される（香気トラック・アレイ）。
【００３０】
この種の香気トラック・アレイは、この種のディスクに複数の重畳層として設置できる。なぜならば、各層は、極めて薄く、従って、極く僅かなスペースを占めるに過ぎないからである。この場合、この種の香気トラック・アレイの各トラックは、分離部分の特定のパターンによって相互に分割される。この場合、上記分離部分は、ディスクの各半部にパターンとしてプレスできるか、別のディスク半部の対向部分に凹みまたは隆起としてプレスでき、各別の香気を放出するトラックがこの製造工程の結果として生じ、両ディスク半部は、所定の態様で統合される。
【００３１】
ディスクの保管中に香気トラックの各香気および芳香の混合を避けるため、ディスクの生産時に、各香気トラックを相互に区画する相互に分離された小さい保護チャンネルが生ずるように、上記トラックを構成するのが好ましい。
【００３２】
異種香気の影響以外に、更に、酸化プロセスによる作用に対して保護するため、分離された香気チャンネル内で、香気を導くスリット状チャンネルにおいて香料を再度シールするのが好ましい。
【００３３】
この場合、更に、カプセル封入によって香料の第３のシールを達成できる。この場合、香料は、香気を導くスリット状チャンネル内で、スリット状チャンネルの開放と同時に開く（はじける）極めて小さいマイクロカプセルに封入される。
【００３４】
この場合、分離チャンネルの径および香気の第２シールによる隆起は、好ましくは香気ＣＤが、全体として、市販の音楽用ＣＤ／ＣＤ−ＲＯＭの範囲にある厚さに過ぎないか、上記厚さを越えるとしても、この香気ＣＤを新聞に問題なく貼付け得るような程度の厚さであるよう、構成する。
【００３５】
この場合、フィルムをＴＶまたはビデオ装置で上演する限り、本出願人の先願ＰＣＴ／ＥＰ９２／０２４４６（第１６、１７図）に記載の如く、香気に関連する信号を対応するテレビ放送局によってまたは記録媒体を介して、上演フィルムの映像信号および音声信号とともに上演する。
【００３６】
この場合、上記信号は、上演フィルムの開始前に上記香気ディスクを設置した放散装置、即ち、いわゆる、香気プレーヤに直接的または間接的に作用する。
【００３７】
さて、上記香気トラックの１つを香気信号を介して賦活する限り、担持媒体（例えば、空気または空気混合物）を小形ポンプによって駆動し、微小充填スタッドを介して香気用ディスクの対応する香気チャンネルに導入する。さて、担持媒体を駆動する圧力によって、香気チャンネル内で、香気を導く所定の極めて薄い層が賦活される。
【００３８】
香気制御信号は、更に、香気を伴う映画上映の他の特徴（例えば、香気担体を流れる空気の量、放出される香気・空気・混合物の温度、香気インターバルの長さ、同時賦活よる香気の場合による意図的な混合、一つの香気から他の香気への変換ないしフェード・オーバ、ｅｔｃ.）を制御できる。
【００３９】
更に、既存の装置を変更して、公共の劇場などにおいて香気を伴う演劇、音楽または映画を上演することを意図する場合、本発明にもとづき、通常は必要な香気伝送組込部材を不要とすることによって、この種の建屋の改造費を最少に容易に減少できる。この場合、中央の香気放散装置および完全な伝送系の代わりに、所望の各箇所に、小形の放散操作装置を取付ける。これは、劇場の完全な改造のための経費を場合によっては正当化しないような限られた時間を越えて特定の上演にのみ香気を随伴させることを計画した場合、特に重要である。この装置によって、野外上演の香気随伴も可能である。
【００４０】
更に、本発明の場合、十分な小型化によってマスメディア（例えば、新聞）を介して容易に配分でき自動的に放散できる新規の多重香気貯蔵システムの創成によって、所望のすべての分散的用途に上記システムを使用できる。
【００４１】
即ち、上記システムは、映画向け用途以外に、他のメディア（例えば、広告）または食品・飲料自動販売機、コンピュータプレーヤのためにまたは香気随伴のオンライン販売機のために、音楽ＣＤ、製品情報ユニット（例えば、いわゆる“販売点”における情報コンピュータ）のためにまたは分散的または集約的香気添加によって向上できるすべての上演のために使用できる。
【００４２】
既述の他の分散用途と同様、ヴァーチャル・リアリティ・サイバースペース・アドベンチャ，ｅｔｃ.の体験のための若い世代のデータヘルメット、ヘルメットおよび機器も、迅速に配分でき最適に保存されるマイクロ香気を使用する可能性を与える。
【００４３】
図面を参照して、以下に、本発明を詳細に説明する。
【００４４】
【発明の実施の形態】
本発明の実施例を示す第１図、第２ａ図〜第５図に、極めて偏平な小さいディスクの内部の極めて小さいスペースに多数（即ち、好ましくは、５〜５０）の各種香気源を貯蔵し、同時に完全に保存した偏平な香気用コンパクトディスク／香気用ＣＤ（１）を示した。
【００４５】
この種の香気用ＣＤは、第１に、基本的に、ＰＣＴ／ＥＰ９２／０２４４６（第１６，１７図）に既に、（香気担体を介して垂直に放散される、まだ実用的ではない）香気媒体について記載の如く、大きい機構とは無関係に小型プレーヤ（第１５図）で放散操作される。この場合、分散配置された小型操作装置において操作される本発明の提案に係る極めて偏平な香気用ＣＤは、始めて、事象（例えば、映画）に関連された多数の各種香気からなるセットを所望の各箇所において時間的に同期して完全な品質で、同時に、消費者または観察者の個人的感覚に適合させて放散することを可能とした。この場合、更に、特定の事象または映画に正確に調和され、同時に、長期に保存できる多重香気セットは、小さく、好ましくは、偏平なその構造にもとづき、始めて、分散した多数の顧客に、例えば、郵便で、極めて迅速に且つ妥当なコストで配分することを可能とした。
【００４６】
さて、この種の香気用コンパクトディスク／香気用ＣＤ（１）の場合、異種の各香気を固有の極めて偏平なスリット状チャンネル３ａ，３ｂ，３ｃ（第１，２ａ，４ａ図）内に貯蔵する。この場合、上記スリット状チャンネルの各々は、スリット状チャンネル３ａ，３ｂ，３ｃ，ｅｔｃ.の各種香気を気密に相互に閉鎖する同じく極めて偏平な保護パイプ（管状部）２１ａ，２１ｂ等に設けてある（第２ａ図）。図示の実施例の場合、上記パイプは、香気用ＣＤ１に半径方向へ設けてある（第１図）。この場合、香気を導くスリット状状チャンネル３ａ，３ｂ，３ｃ，ｅｔｃ.のまわりに配置された多数の保護パイプ２１ａ，２１ｂ，ｅｔｃ.は、香気用コンパクトディスク１のディスク上半部と、ディスク下半部９と、両側の長い分離ウェブ７の形の側部チャンネル分離部分６とから形成される。
【００４７】
かくして、保護パイプ２１は、香気用ＣＤに直角に延びるスリット状チャンネル３を外界因子（例えば、熱、圧力および損傷）に対して保護する小さい半径方向の偏平トンネルを形成する（第２ａ図）。この保護機能は、特に、以下に詳細に説明する如く、スリット状チャンネル３を好ましくは感圧性に構成したことにもとづき（第２ａ図および第４ａ図）、特に重要である。香気用ＣＤの直上にあるスペースを最適に活用するため、図示の実施例のスリット状チャンネル３は、各スリット状チャンネル３の入口２のあるディスクの縁から内方へと出口パネル４まで円錐形に延ばすのが好ましい。
【００４８】
この場合、スリットチャンネル３の入口２および出口２５は、香気の補足的保持のため、シール１０，２２を備えている（第４ａ図）。この場合、上記シールは、ディスクをプレーヤに差込むと直ちにまたはプレーヤによってディスクを実際に操作した場合に始めて開放される（第４ｂ図）。しかしながら、スリット状チャンネル３の内部の香料の貯蔵の好ましい態様の場合、この種のシールは、場合によっては不要である。なぜならば、ディスクの図示の実施例によって、以下に詳細に説明する如く、既に、長期の保存が保証されるからである。
【００４９】
この場合、スリット状チャンネル３の内面に、微小な、いわゆる、香気マイクロカプセル１９の形で香料を設置するのが好ましい（第２ａ図および第４ａ図）。この場合、香料は、一方では、マイクロカプセル自体によって完全に閉鎖され、かくして、酸素の排除によって、既に、極めて小さいスペースにおいて極めて良好な保存が保証される。（液体状または別の形の最少量の物質のマイクロカプセル封入は、印刷工業において以前から知られている方法である。）更に、カプセル封入香料を収容したスリット状チャンネル３自体を、更に、保護および閉鎖を行うパイプ、即ち、保護スリーブ２１で囲むことによって、香料の保存が更に向上される。
【００５０】
この場合、保護スリーブ２１は、スリット状チャンネル３内にある香気マイクロカプセルを機械的圧力、他の圧力、光、熱、湿度および他の因子による作用に対して保護するという機能も有する。なぜならば、スリット状チャンネル３が、例えば、圧縮された場合、香気マイクロカプセルが、比較的容易に早期に開放されるからである。
【００５１】
上記保護スリーブは、特に、部分的に多様な機械的応力および他の応力を受ける香気用ディスクの発送時にも、本質的な役割を果たす。なぜならば、早期に開放された香気マイクロカプセル１９の香気が、早期に劣化、酸化を開始し、香気の印象が、部分的に、著しく損なわれるからである。
【００５２】
即ち、本実施例の場合、各香料は、下記の如く、三重にシール、保存される：
１．）保護スリーブ２１内で（機械的圧力、酸素および混合に対する保護）
２．）スリット状チャンネル３内で（混合および酸化に対する保護）
３．）香気マイクロカプセル１９（酸化に対する保護）。
かくして、極めて小さいスペース（香気用ＣＤ）において、多数（例えば、４０）の異種香気の極めて確実な保存および貯蔵を実現できる。
【００５３】
さて、ＴＶ上演映画または他の事象のシーンに合った香気提供のために、香気用ＣＤを対応するプレーヤに設置する。この場合、この種のプレーヤの機能態様は、本質的に、既に本出願人のＰＣＴ／ＥＰ９２／０２４４６に記載されている。この場合、上記先願とは異なり、搬送媒体（本実施例の場合は、例えば、空気）は、短い経路を−香気担体を介して横方向に−流れず、ディスク内にある偏平なスリット状チャンネル３を通して縦方向へ流れることによって、流動路は数倍に延長される。かくして、発散媒体の占有スペースが極めて僅かであっても、各香気の表面積は、決定的に拡大され、香気のより正確な提供および多様な強さの放散が可能となる。
【００５４】
他方、極めて偏平に構成された香気用ＣＤにおいてより長い流動路によって、放散運転に必要な圧力が本質的に増大される。なぜならば、香気用コンパクトディスクの対応するプレーヤのポンプ装置として、先願に記載の如き接線ブロアではなく、空気および混合媒体の公知のタイプのポンプ（例えば、水ポンプまたは膜ポンプ６６）を使用できるからである（第１５図）。この場合、他の適切なタイプのポンプ（例えば、加圧ポンプ）以外に、極めて小さいコンプレッサ形またはタービン形のポンプも使用できる。
【００５５】
さて、映画または音楽に関連する上記香気の放散の場合、担持物質（例えば、空気）が、閉鎖、保存された香料を閉鎖状態から自動的に開放し、漸次的に保存封印状態から引出し、次いで、香気を随伴し、顧客まで送る技術も始めて実現される。この場合、担持媒体は、香気びん自体を確実に開放し、この場合、自動的に、特定の映画シーンに属する香料で富化される。この技術の場合、香料は、放散時点まで空気遮断状態に保存され、かくして、極めて小さいスペースに設置したにも拘わらず、早期の劣化プロセスは完全に避けられる。
【００５６】
この場合、上演映画に望ましいシーンに適合した香料の展開、放出のため、まず、上記映画の成行きに正確に適合した香気用ＣＤ１を対応するプレーヤに設置する。この場合、プレーヤ２４内で、小さい供給ノズル２３が、最初に放散される香気のスリット状チャンネル入口２に差込まれ、他方、別の排出ノズル２７が、香気用ＣＤ１に置かれたスリット状チャンネル３の出口２５に挿入される（第４ｂ図）。
【００５７】
上記映画，ｅｔｃ.の進行中に、特定のシーンに望ましい対応する香気を放散すると直ちに、映画とともに、例えば、対応する信号受信器６７（第１５図）によって特定できる対応する信号が展開または送信される。かくして、所与のガス状搬送媒体（好ましくは、空気）は、プレーヤ２４の内部で、ポンプ（図示してない）を介して賦活され、供給ノズル２３を介して所望の第１シーン香気Ａに属するスリット状チャンネル３ａの入口２にポンプされる。さて、この際に形成される圧力によって、まず、製造し易いよう、好ましくは、香気誘導フィルム上面１１と香気誘導分離フィルム１２ａとからなるスリット状チャンネル３ａの入口２の壁（第５図）が、流動軸線に対して半径方向へ押し離される（第４ｂ図）。
【００５８】
この場合、空気流が、スリット状チャンネル３の端部まで進行し側方へ逃げないよう、スリット状チャンネル３のフィルム面１１，１２の特定部分を相互に且つ部分的にディスク半部８，９に結合するのが好ましい。即ち、両フィルム１１，１２は、両側で、各スリット状チャンネル３の側部フィルム結合部分３０にそれぞれ結合でき、かくてフィルムの香気を導く部分の直後で分離する。
【００５９】
変形したスリット状チャンネル３ｋ（第３図）の場合、上記の側部結合部分３０は、フィルム１１，１２の間に保持でき、この場合、変形された上記スリット状チャンネル３ｋの賦活とともに、放散操作中に香気チャンネルとして保持され香気を導く小さい偏平チャンネルが３３が生じ、しかも、結合部分３０が分離しないことが好ましい（第３図の３つの右側のチャンネル参照）。
【００６０】
スリット状チャンネル３の側方のこのような側部結合部分３０は、例えば、接着部分、熱接着部分、さねはぎ部分、折畳結合部分またはプレス結合部分として構成でき、あるいは、ディスク下半部９の分離ウェブ７をディスク上半部８に当接させ、かくして、フィルム１１，１２の間に側部結合部分３０が形成される（第３図の場合と同様）。この場合、ディスク上半部８には、同じく、ディスク下半部９またはその分離ウェブ７と共働して各香気チャンネルを分離する上部分離ウェブ４６を設置できる。
【００６１】
第３図には示したスリット状チャンネル３ｋの若干の変更例の場合（左の第２保護パイプ２１）、スリット状チャンネルには、場合によっては若干折畳んだ別の材料を設けることができ（第８図）、かくして、空気の流通時、スリット状チャンネル３ｋが、保護パイプ２１の壁に密着し、即ち、偏平チャンネル３３の形成時（第３図の右側の双方の保護パイプ２１参照）よりも大きい流動容積が得られる（第８図）。
【００６２】
第３図に示したスリット状チャンネル３ｋの別の変更例の場合、スリット状チャンネルは、２つのフィルム１１，１２からではなく一体に構成され、香料は、調製プロセス中、一体の上記偏平チャンネルの壁に塗布される。この場合、しかしながら、チャンネルは、同じく偏平に折畳加工、プレス加工または折曲加工でき、次いで、保護パイプ２１に設置できる。この場合、この種の偏平チャンネルの端部には、同じく、担持材料の最初の流通時に開放されるシール１０，２２または閉じられた孔、接着部分、さねはぎ部分を設けることができる。この場合、更に、調製プロセス中、この種の偏平チャンネルの壁が部分的にまたは完全にまたは端部においてのみ内部応力を受けるよう、上記チャンネルを構成することもできる。さて、空気が、この種のチャンネルを流れ、チャンネル内に若干の圧力を形成した場合、上記チャンネルの僅かな応力を受ける範囲は、跳反し、かくして、空気および香料，ｅｔｃ.の流動が完全に可能となる。
【００６３】
空気流の安定化のために、第４ａ−ｃ図に示した如く、香気を導くフィルム上面１１をディスク上半部８に結合し、下部分離フィルム１２のうち少なくとも前端を結合部分４５によってディスク下半部９に結合し、後端を別の結合部分４７によってディスク下半部に結合するのが好ましい（第４ｂ図）。
【００６４】
この場合、スリット状チャンネル入口２（第４ｂ図）に更に形成される圧力は、最終的に、スリット状チャンネル３ａの内部に達し（第４ｃ図）、この場合、フィルム上面１１および香気を導く分離フィルム１２ａは、出口２５まで縦方向へ相互に引離され、分離フィルム１２は、排気中空スペース１３に押込まれる（第４ａ−ｃ図および第２ｂ図）。この場合、フィルム上面１１および分離フィルム１２が、スリット状チャンネル３ｋの縁において、それぞれ結合部分３０に結合されている限り（第３図参照）、分離フィルム１２は、中心範囲においてのみフィルム上面から引離され、この場合、偏平チャンネル３３を形成する（第３図の右の３つのチャンネル）。
【００６５】
この場合、フィルム１１，１２に結合された香気マイクロカプセル１９が、引裂かれ、開放され、これまで封入されていた香料が、遊離され、次いで、押込まれた空気によって連行される（第４ｃ図および第２ｂ図）。スリット状チャンネル３のフィルム１１，１２が、相互に引離され、あらかじめ香気マイクロカプセル内に封入された香料が、保存状態から解放された場合、かくして香料で富化された空気流２９が、次いで、保護パイプ２１ａ−ｘを介して送られ、出口１４を介して排出（出口）ノズルまで送られる（第４ｃ図）。
【００６６】
かくして特定シーンに属する香料で富化された空気２９は、香気用ＣＤ１のスリット状チャンネル３ａから出た後、プレーヤから視聴者に送られ、かくして、例えば、オレンジが見える映画シーンでは、プレーヤはオレンジに対応する香気を生ずる（第１５図）。
【００６７】
プレーヤ２４内の香気用ＣＤ１が、対応する香気を放散できるよう、別の対応する信号によって制御され、移動されると、別のシーンに属する次の香気の放散が起きる。この場合、供給ノズル２３および排出ノズル２７は、短時間、香気用ＣＤから外され、次いで、他の香気のスリット状チャンネル３ｂまたは保護パイプ２１ｂに挿入される。本実施例の変更例の場合、香気用ＣＤ内の空気の流動は、外部から内部への代わりに、逆に、内部から外部へ行うこともできる。この場合、供給ノズル２３から排出ノズル２７へまたは排出ノズルから供給ノズルへ流動が行われる。この場合、富化された空気は、同じく、他の香気出口から視聴者に送られる。
【００６８】
唯一つの香気用ＣＤに、実際に、１つの映画、音楽作品，ｅｔｃ.に必要な３０または５０以上のすべての香気源を設置できるよう、更に、香気に必要な各面を特定の設計方策によってできる限り小さくすれば有利である。
【００６９】
カプセル封入香気源をすべて１つの香気用ＣＤに設けるために必要な面は、まず、香気用ＣＤの香気案内層内の香気カプセルの設置密度および各カプセルの寸法によって調整できる。更に、カプセル封入プロセスの基礎として選択される香気混合物の強度も、必要な香気面に影響を与える。従って、１つの香気用ＣＤにできる限り多数の香気源を設置できるよう、図示の香気用ＣＤの場合、カプセル封入される香気の特に強力な混合物および単位面積当りできる限り多数の香気カプセルを設置し、かくして、１つの香気について必要な面積を小さくする。
【００７０】
本プレーヤの場合、最大のシーン精度を順守し、香気重畳を完全に避けるため、同じく、中央プレーヤについて先願ＰＣＴ／ＥＰ９２／０２４４６（第１６，１７図）に提案した（この場合、従来の提案とは異なる機能を示す）方策を分散配置されたプレーヤに適用でき、即ち、空気使用量の最少化、香気流の精密化および使用管路の最少化を達成できる。従って、プレーヤによって香気用ＣＤから引出された香気量は、極めて低いレベルにあり、即ち、上記量は、空調装置の出力量の１／１０００〜１／１００００であるのが好ましく、更に、同じくＰＣＴ／ＥＰ９２／０２４４６に提案の如く、比較的集束して視聴者に送られる。従って、香気は、視聴者の鼻のまわりの極めて小さい容積においてのみ知覚され、従って、特に少量の香気で作用できる。かくして、既に提案した方策以外に、同じく、香気用ＣＤ内の極めて小さいスペース内に香気源を設置できる。
【００７１】
非集中的に制御されるプレーヤの図示してない実施例の場合、０．０００１〜０．５リットル／秒の香気含有空気を使用するのが好ましい。分散配置されたプレーヤの別の好ましい実施例の場合、０．００３〜０．３リットル／秒の香気含有空気を使用し、本発明の特に好ましい実施例の場合、０．０１〜０．２リットル／秒の香気含有空気を使用する。
【００７２】
かくして、同じく、香気放散推移を極めて正確に構成できる。なぜならば、このように少量の香気は、極めて急速に逸散し、即ち、シーンに適合した提供が可能である。
【００７３】
本質的に各視聴者の鼻の範囲においてのみ知覚される香気印象によって、同じく、上記視聴者のためにまたは他の各視聴者のために個別に上記の少量の香気を調節可能とすることができる。
【００７４】
香気放出量のこの調節可能性は、特に重要である。なぜならば、顧客の鼻の嗅覚は、場合によっては、極めて異なるからである。好ましいプレーヤの場合、香気放散の強さは、個別に調節でき、従って、各消費者は、消費者に好ましい強さの放散を享受できる。更に、プレーヤのより高級な実施例の場合、更に、放散香気の温度、量および放散サイクル時間を個々に制御できる。
【００７５】
顧客が、香気随伴の映画上演を歓迎するが、特定の香気に対して独自の不快感を持つ場合は、本プレーヤにおいて、更に、上記香気を各区分（クラス）に分類することができる。この場合、利用者は、望ましくない香気種類をほぼ“選別”できる。この場合、上記の望ましくない香気の制御信号は、プレーヤによって簡単に無視され、対応する香気が省略（ジャンプ）される。香気放散の対応する個別の調整は、以下の第６図の説明において示す。
【００７６】
生産形態をできる限り簡単化するため、製造中、香気用ＣＤは、４つの機能層から、即ち、ディスク上半部８と、香気を導くフィルム上面１１と、香気を導く分離フィルム１２と、通例分離ウェブ７を備えたディスク下半部９とから構成するのが好ましい（第５図）。製造中、各機能層８，９，１１，１２を圧縮し、（例えば、超音波で）部分的に溶接する。この場合、各層（第５図および第１図）の性状および形状によって、香気用ＣＤの所定の上述の各機能が得られる。この場合、スリット状チャンネル３は、層１１，１２の圧縮および部分的な接着から形成するのが好ましく、この場合、スリット状チャンネル３ａ，３ｂ，ｅｔｃ.または分離フィルム１２ａ，１２ｂ，ｅｔｃ.の分割は、好ましくはディスク下半部９に置かれた分離ウェブ７をディスク上半部８に当接させることによって行う。
【００７７】
空気圧に耐える小さい保護パイプ２１ａ−ｘの形成のため、ディスク下半部９またはこの下半部上にある分離ウェブ７とディスク上半部８とを固定するために、各種の方法（例えば、超音波溶接３９（第２ａ図）、差込結合、接着結合および他の結合）によって分離ウェブ７の先端をディスク上半部８に結合できる。かくして、１種の印刷法によってあらかじめ少なくとも１つのフィルムに被覆したフィルム１１，１２の各種の香気トラック（第５図）も夫々分割（区画）できる。好ましくは空気圧に耐えるこの種の分割は有利である。なぜならば、かくして、１つのスリット状チャンネル３の賦活中に、空気流が隣のチャンネルに流入し、かくして、場合によっては、混合香気が形成されるのが避けられるからである。
【００７８】
この場合、分離ウェブ７および他のディスク半部の結合は、香気を導くフィルム１１，１２を介して、例えば、差込結合または接着結合として行うことができる。
【００７９】
差込結合の場合、フィルムの縁をクランプし、他方、超音波溶接３９の場合、例えば、合成樹脂からなるフィルムを当接する分離ウェブ７の範囲において短時間加熱し、かくして、溶接する。例えばセルロースからなるフィルムの接着結合は、接着剤を毛管作用でまたはパーフォレーション孔によってフィルムを介して他のディスク半部に浸透させることによって実施でき、この場合、香気トラックが分割される。
【００８０】
香気用ＣＤの製造法の別の変更例の場合、香気源塗布後、まず、香気を導く分離フィルム１２ａ−ｘを関連するフィルム１２として保持する（第５図）。この場合、各香気源は、同じく、各分離フィルム１２ａ，１２ｂ，ｅｔｃ.に分割されていない完全フィルム１２に塗布またはプリントする。さて、フィルム表面に僅かな切れ目（１種の破断予定箇所）を入れることによって、各香気区画を区別するのが好ましい。この場合、更に、香気を導くフィルム上面１１を使用せず、分離フィルム１２を各香気トラックの各種の香気マイクロカプセル１９とともにディスク上半部８に接着する。ディスク下半部９と、必要なすべての香気を含む分割された分離フィルム１２を既に接着したディスク上半部８とを接合または押圧する場合、ディスク下半部の分離ウェブ７は、上半部と当接し、かくして、香気を導く分離フィルム１２は、各フィルム１２ａ，１２ｂ，．．に分割される。この場合、更に、香気を導くスリット状チャンネル３ａ−３ｘが、分離フィルム１２とディスク上半部８との間に形成され、分離ウェブ７によって気密に相互に分割される。
【００８１】
本発明の図示してない別の実施例の場合、香気用ＣＤの各実施例の構成部材の多様な組合せおよび機能類似の香気用ディスクを形成するための上記製造プロセスの変更が考えられる。
【００８２】
更に本プレーヤによって放散される香気の提供形式は、香気印象の完全化のため改善できる。特定の事例において、例えば、視聴者に放散前にまたは放散時に小さい加熱要素（図示してない）によって更に香気を加熱して、例えば、熱いコーヒーの香気印象を更に完全に提供すれば、香気印象を本質的に改善できる。
【００８３】
この種の加熱は、好ましくは、視聴者に達する前に、加熱すべき香気を方向変更弁によって別のチャンネルの既に予熱された対応する微小加熱要素まで導くことによって、達成できる。この種の方法は、プレーヤに使用した加熱要素が、遅鈍であるため、映画進行時に極めて急速に加熱し、次いで、次の香気において、場合によっては、極めて短時間で再び冷却できない場合に、特に有利である。
【００８４】
分散配置されたプレーヤ（図示してない）の場合、反対に、視聴者へ流れる香気を冷却し、かくして、同じく、例えば、氷または秋の冷たい風による香気印象を模倣することも可能である。
【００８５】
幾分高級のプレーヤ（図示してない）において、特定の香料の場合、視聴者への放散前に、例えば、加湿すれば、プレーヤによってディスクから引出された香気を更に改善できる。即ち、例えば、比較的乾燥した状態に保存され通常の空気によって引出された草原の香気を、次いで、加湿器（図示してない）を通過させれば、雨で濡れた草原の香気印象を完全化できる。対応して、引出を行う媒体自体（例えば、空気）に、ディスク通過前に、水分を付加することもできる。
【００８６】
この種の加湿器は、ディスク自体に設置することもでき、かくして、例えば、香気を導くチャンネルへの導入前または導入後の担持媒体を対応する加湿微小チャンバ（図示してない）（例えば、１種の透過性加湿パット）を介して導くことができる。
【００８７】
香気を含む空気のこのような加湿は、ディスク上で、場合によっては、マイクロカプセルに封入した水分によって達成できる。この場合、水分は、マイクロカプセルからの香気の上述の遊離と類似の態様で遊離される。
【００８８】
本プレーヤによって、香料が付加された流出する空気の強い垂直配向を意図する場合、分散配置されたプレーヤにおいて担持媒体（例えば、空気）に所定量のヘリウムを混合する。（ヘリウムは、人間に全く危険でない。なぜならば、かくして、潜水夫も喘息患者もより楽に呼吸できるからである）。この場合、ヘリウムは、サイホンびんの炭酸ガス・カートリッジと類似の小さいカートリッジに入れてプレーヤ内に装入できる（図示してない）。この場合、例えば、まず、香気自体をカートリッジからの微小ヘリウム流によって引出すことも可能である。既述の如く、ディスクの香気を装入したびんまたはスペースは、各種の方策（例えば、香気排出ベースの強化）によって、好ましくは、極めて縮小されるので、香気の本体の引出のために使用するヘリウムは少量でよい。少量のヘリウムと強力の香気との上記混合物は、次いで、通常の香気強度に希釈するために多量の空気流と混合され、次いで、視聴者に送られる。この希釈用空気流は、既述の如く、あらかじめ水分と混合でき、または、加熱することもできる。香気引出のみのために使用されるカートリッジには、ヘリウム以外の物質を充填することもできる。
【００８９】
第３図において左の最初のチャンネルにしめした香気用コンパクトディスク１の別の実施例の場合、スリット状チャンネル３には、香気マイクロカプセル１９は設置してなく、同じく極めて偏平に配置された別の香気担持材料２６が設けてある。この場合、高圧空気の流入時、フィルム１１，１２は、完全には引離されず、対応する材料２６のまわりに、スリーブとしてまたは変形した偏平チャンネル４４としてとどまる。この場合、空気は、透過性または半透過性の香気担持材料２６を通過する。しかしながら、この場合、変形した偏平チャンネル４４のまわりにあり上記チャンネルを相互に気密に閉鎖する（第２ａ図）保護パイプ（管状部）２１ａ，２１ｂ，ｅｔｃ.は、入口２および出口２５にシール１０，２２を備えているのが好ましい。なぜならば、上記の別の材料２６の保存性は、香気マイクロカプセルのように十分でないからである。この場合、香気担持材料２６として、極めて薄く偏平なフリースも使用できる。この場合、上記フリースは、変形される偏平チャンネル４４の縁に配置するのが好ましい。
【００９０】
香気用ＣＤのこの実施例の変更例の場合、第３図に示した如く、香気用ＣＤ内で各種のマイクロカプセル保存方式を相互に組合せることができる。即ち、この場合、香気は、左側のチャンネルでは香気担持材料２６によって保存でき、他のチャンネルでは香気マイクロカプセル１９によって保存できる。この実施例は、香気随伴映画において、マイクロカプセル封入が困難な僅かな香気（例えば、コーヒーの香気）が必要である場合に、特に好ましい。即ち、この種の香気用ＣＤには、カプセル封入できる香気も他の保存形式の他の香気も最適に保存できる。
【００９１】
香気の大きい組成差によって、保存のため、部分的に、著しく異なる保存法が必要である。従って、１つの香気用ＣＤについて、最適なカプセル封入法によって各香気を調製、装入するのが好ましい。
【００９２】
特定の香気の保存のために最適な結果を達成する他の方法が対象となる場合、上記方法は、対応する他の香気トラックに適用され、かくして、各香気トラックに、それぞれ、最適な香気貯蔵法が適用される。即ち、例えば、香気・樹脂、香気・ゲルまたは香気と担持物質との他の組合せの形の敏感な香気を貯蔵できる。対応する保存形式が香気のカプセル封入法に関連されない場合は、保存改善のため、上記香気トラックの入口および出口に、第４ａ図に示した如きシール１０，２２を設ける。
【００９３】
一方ではカプセル封入し、他方では他の方法で貯蔵した香料の持続性の差を更に減少するため、シール１０，２２以外に、他の保存法を使用できる。
【００９４】
この場合、ディスク上で、カプセル封入されていない香気のトラックには、更に、早期の劣化および酸化を阻止する少量の物質を充填する。即ち、例えば、変形される偏平チャンネル４４（第３図）に上記物質を充填でき、例えば、香気を導くフリースを使用したスリット状チャンネル３の壁に直接に設置する場合、（例えば、第２ａ図または第４ｃ図に示した開放したトラックの如く）スリット状チャンネル３自体にも上記物質を充填できる。
【００９５】
このため、充填後にシール１０，２２によって対応する香気トラック内部に保持されるガ状物質を使用するのが好ましい。この種の酸化防止剤としては、例えば、極めて少量のヘリウムまたは炭酸ガスを使用し、ディスクの対応する香気トラックに装入できる。別の物質として、ガス状物質、例えば、食品および飲料の保存にも使用されるような物質も考えられる。
【００９６】
別の方法として、香料充填後、シール１０，２２の貼付前に、ディスク内に何れにせよ強い真空を形成することも考えられる。さて、シール１０，２２を閉鎖すれば、閉鎖された香気トラック内には真空が保持され、従って、カプセル封入されてない敏感な香料に、酸素または劣化プロセスを促進する他の物質が達することはない。
【００９７】
放散操作時にシール１０，２２が開放されると直ちに、真空が、結局、消失し、かくして、対応する香気の放散が開始できる。他方、少量の酸化防止剤を使用した場合、この酸化防止剤は、ディスクの放散操作時、香気を導く物質（例えば、空気）によって香気リボン外に自動的に追出される。
【００９８】
カプセル封入された香料およびカプセル封入されていない香料を含む香気トラックを有するこの種の混成ディスクの別の図示してない実施例の場合、既述の如くカプセル封入しない保存方式の形ですべての香気トラックを貯蔵するディスクを製造できる。この種のディスクが、上述の異なる方法にもとづき、香気を完全にカプセル封入したディスクの保存性を有していない場合にも、この種のディスクは、場合によっては、使用が短時間の用途に使用できる。
【００９９】
第６図に示した香気用ＣＤ５の好ましい実施例の場合、次の香気の放散のためのＳ−ＣＤの場合によっては煩瑣な回転操作、これに関連する取出および対応する新しい香気の入口２および出口２５への供給ノズル２３および排出ノズル２７の固定操作は、完全に避けられる。さて、このため、例えば長方形の香気用ＣＤをプレーヤに導入した後、供給ノズル・パネル２８を香気のスリット状チャンネル・入口２に導入する。この場合、各香気について、固有の制御弁４８を含む固有の供給ノズル２３が設けてある。香気を導くスリット状チャンネル３ａ，３ｂ，ｅｔｃ.の入口２に場合によっては設けるシール１０は、プレーヤに香気用ＣＤを接続する場合、供給ノズル２３によって開放される。この実施例の場合、香気を意図的に交換する際、別の供給ノズル２３に至る新しい管路に切換えるだけでよい。
【０１００】
香気用ＣＤのこの種の制御にもとづき、プレーヤの製造および機能時に本質的簡単化が達成される。なぜならば、この場合、可動の、場合によっては、故障し易い機械的部材が、ほぼ、設けてないからである（第１５図）。この場合、香気担体として、既述の如く、同じく、香気マイクロカプセル１９を使用するのが好ましい。このマイクロカプセルは、当該のスリット状チャンネル３への空気１８の流入時に分離ウェブ１２，ｅｔｃ.の分離によって自動的に引裂かれ、空気流を放出する。
【０１０１】
かくして香料が付加された空気２９は、後から来る空気流によって押されて、配列装置５１まで流れ、賦活された各香気チャンネル２１の各種空気流は、配列装置によって捕集され、フォーカシング排出ノズル５４に送られる。フォーカシング排出ノズル５４は、運転状態において、プレーヤに接続され、かくして、賦活された香気は、最終的に、別の短い管路を介して視聴者に送られる（第６図）。この場合、空気流を捕集する配列装置５１およびフォーカシング排出ノズル５４は、香気用ＣＤ自体の構成部材であれば好ましい。即ち、上記香気管路に、長期の運転において、各種の香気が堆積し、かくして、時間の経過とともに、早期に放散された香気との望ましくない重畳が進行した場合、香気用ＣＤの交換毎に上記香気管路が更新されるという利点が得られる。
【０１０２】
上記実施例の好ましい変更例の場合、香気用ＣＤ５のフォーカシング排出ノズル５４から流出する香気流は、プレーヤの他の管路を介さず、香気用ＣＤから直接に視聴者に送られる（第６図および第１５図）。かくして、結局、プレーヤから放散された香気流は、プレーヤ自体と接触することはない。かくして、香気用ＣＤのこの種のプレーヤを苛酷に使用した場合も、プレーヤのどの箇所にも、時間の経過とともに香料が堆積することはないという利点が得られる。かくして、この種の機器の保守不要の取扱の意味において、使用に有利な簡単化が達成される（第１５図）。上演装置のこの変更例の場合、香気用ＣＤは、プレーヤ内に平らでなく、傾斜した角度（例えば、３０°の角度）で保持され、かくして、香気用ＣＤ内にある香料は、同じく、若干傾斜した角度で視聴者へ向かって流出できる（第１５図）。
【０１０３】
香気が、プレーヤ２４の別の図示してない実施例の場合に、香気用ＣＤ５を出た後に、プレーヤ内でより長い管路および場合による装置を通過する場合は、上記箇所には、時間とともに、早期に放散された香気の滞留が生じ、かくして、好ましくない香気が生ずる。この場合、このようなプレーヤのために、特殊なクリーニングディスク（図示してない）を容易する。この場合、保護パイプ２１内には、香気を導くスリット状チャンネルの代わりに、クリーニング液を含むフリースを設ける。上記クリーニング液は、運転時に、プレーヤの対応する汚染された管路を流れ、最終的に捕集される。
【０１０４】
さて、香気用ＣＤ内にある香気が、操作時に放散される場合（第６図に模式的に示してある）、対応するスリット状チャンネル３の弁４８のみが開かれる。この場合に配列装置５１を介して別の香気誘導保護チャンネル２１またはスリット状チャンネル３へ行われる逆流の傾向は、他の香気の弁４８が閉鎖状態に保持され、かくして、場合によっては香気と混合される空気の逆流が生じることがないことによって、抑制される。この場合、香気を導く保護パイプ２１の端部に、空気流配列装置５１への移行部直前に、本質的に配列装置５１の方向へのみ空気を流動させる小さい排出弁５６を設けることによって、他の逆流防止を保証できる。
【０１０５】
香料は、最初の放散後に、既に、酸素および別の材料と接触するので、香気の最初の更に完全な放散後に既に、香気の劣化が始まる。さて、上記香気用ＣＤの第２の、場合によっては、極めて多量の以降の放散時、香気が、強く劣化され、場合によっては、部分的に不快な形で放散されるのを阻止するため、（このような放散は、新しいメディアの評判を落とす）、上記のすべての実施例の香気用ＣＤは、限定条件でのみまたは１回だけ放散操作できるよう構成するのが好ましい。
【０１０６】
この限定された操作性は、第６図に示した実施例の場合、例えば、外部から小さい走査開口４１を介してのみ触手できる小さい標識トング４０を香気用ＣＤ５内に設けることによって、達成される（第６図）。さて、プレーヤにおいて放散操作を開始する場合、まず、プレーヤ２４に設置され走査開口４１に正確に適合するピン４２（第６図）を香気用ＣＤ５に導入する。さて、走査ピン４２が、標識トング４０がなお存在することを検知すると、香気用ＣＤが、放散操作のために解放される。
【０１０７】
放散操作の開始後、走査ピン４２を、更に若干、香気用ＣＤ５に導入する。この場合、標識トング４０は、屈曲または破壊される。かくして、最終的に、香気用ＣＤが、既に１回、操作されたことが記録される（第６図および第１５図）。他方、放散操作前に、走査ピンが、香気用ＣＤが、既に１回、操作されており、香気が、場合によっては進行する劣化プロセスによってすでにマイナスに変質されたことを検知した場合は、放散操作を開始しない。
【０１０８】
この場合、標識トング４０の破壊は、香気の最初の放散後に行う必要はなく、半分だけ見た映画を、以後にも、なお香気随伴状態で最後まで見られるよう、上演映画の以降の、例えば、最後の前の香気の後で始めて開始されるのが好ましい。
【０１０９】
香気用ＣＤを複数回操作可能とすることを意図した場合、既に２回またはより多数回行われた放散操作にも、更に放散操作のレリースを続けることができる。この場合、例えば、対応して複数の標識トング４０を順次にまたは並べて設ければよい。この場合、上記標識トングは、改造した走査ピンによって検知する。機械的方法の代わりに、電子的または他の方法でディスクの操作可能性の検知および制御を実施できる。即ち、例えば、ディスクに設けてあり対応する磁気ストライプ（ないしテープ）読取器７０を介してプレーヤ２４によって読取ることができる磁気ストライプ５０（第６図）に上記情報をファイルできる（第１５図）。
【０１１０】
香気ディスクの重要な劣化因子は、最初の操作以降に経過した時間にも関係するので、操作限界は、ディスクおよび／またはプレーヤ（第１５図）に記憶された所定時間によっても定められる。即ち、例えば、最初の操作時に、プレーヤによって、例えば、穿孔カードなどの機械的コード５３（第６図）またはディスクに設けた磁気ストライプ５０（第６図）または他の類似の適切な方策によって、ディスクに操作時点を伝達することができる。
【０１１１】
この場合、操作時点は、機器に内蔵された時計によってまたは香気随伴上演映画とともに伝送される送信信号によって伝達される。
【０１１２】
上記時点後、ディスクは、所定時間（例えば、１週間）なお操作できる。上記時間を越えると、以降の操作は、機器から拒否される。かくして、ディスクの多数回の操作に拘わらず、この際に使用された香気が、当該映画の上演時に、確実に完璧な状態にあることが保証される。
【０１１３】
この場合、可能な操作期間の長さは、すべてのディスクについて同一であってよく、あるいは、使用した香料のうち最も敏感な香料に関連づけることもできる。
【０１１４】
このような時間的操作制限は、ディスクの先行操作に関係なく、使用される香気の最少有効寿命に関連づけることができる。即ち、例えば、１９９９年１２月まで完全に有効な貯蔵香料を含み１９９７年３月に販売されたディスクには、製造時に同時に、対応する、例えば、機械的、光学的または磁気的タイムコードを設けることができる。
【０１１５】
上記ディスクが、極めて長期にわたって未使用のままであり、利用者が、例えば、１９９９年６月に始めて、恐らくもはや完璧ににおう香気を発しない上記ディスクを操作しようとした場合、操作は、対応してプレーヤによって拒否される。
【０１１６】
更に、プレーヤは、サービスを完全に拒否する代わりにまたは拒否とともに、ディスクが既に古すぎるという指示を与えることができる。
【０１１７】
将来的に、十分な品質の香気センサを妥当な価格で製造できるようになれば、更に、このような香気品質センサをプレーヤに直接に組込むこともできる。この場合、香気の品質確保は、香気ディスクの時間的操作限定によるのではなく、この種のセンサの品質管理のみによって処理できる。
【０１１８】
香気の個人的な感覚は、他の感覚器官の刺激の場合よりも本質的に大きい範囲を有するので、第６図の実施例の場合、（プレーヤにおける香気品質、温度，ｅｔｃ.の総合的調節による既述の個別的香気制御の方式以外に）利用者の個人的観念の広い特殊性にもとづき香気随伴映画上演を改質することが可能である（第１５図）。
【０１１９】
この場合、まず、若干数の利用者が特殊な不快感を示すような香気を香気クラスに分類する。さて、利用者は、香気随伴の映画または音楽上演から存在する香気クラスの１つまたは複数のクラスを排除したい場合、ディスク自体に設定できる上記香気クラスをプレーヤにおいてまたはフィルタコード５５を介して選別することによって上記排除を実施できる。この場合、望ましくない香気は、プレーヤによって無視され、対応する香気へ飛越しが行われる。
【０１２０】
例えば、香水の香気を極めて制限して評価する利用者は、まず、そのプレーヤにおいて選択できる対応するプレコード（例えば、“ｐｅｒｆ．ｎｏｔ”など）によってまたは設定されたラスタまたはフィルタコード５５を介してディスクに上記香気を設定できる（第６図）。さて、頻繁に香水が現れる映画（例えば、ゼフィレッリＦ．Ｚｅｆｆｉｒｅｌｌｉの１９６８年の「プリティ・ウーマン」“Ｐｒｅｔｔｙ  Ｗｏｍａｎ”，「ロメオとジュリエット」“Ｒｏｍｅｏ  ａｎｄ  Ｊｕｌｉａ”または「風と共に去りぬ」“Ｇｏｎｅ  ｗｉｔｈ  ｔｈｅ  Ｗｉｎｄ”）を上映する場合、香水の放散は、対応して設定したプレーヤにおいて香水の放散を完全に削除するか、強く減力した形で実施する。
【０１２１】
減力された香気の第２の形のため、対応する減力装置を機器に組込み、ほぼ選択された香気の詳細な信号に関連づける。香気のこのような減力は、例えば、プレーヤの空気流量を減少するか、新鮮空気を補足添加することによって、調整できる。
【０１２２】
好みの異なる他の利用者が、香気随伴映画を見ようと決心した場合、彼は、対応して、プレーヤに異なる個人的プレコードを設定し、かくして、総合的な香気強さの既述の個別的調節可能性以外に、必要に応じて、各利用者に完全に合致した映画体験をしめすこともできる。
【０１２３】
この場合、上演の他の性質に関連づけられ、同じく、香気用ＣＤ５自体に設けることができるプレコードも考えられる。
【０１２４】
即ち、例えば、香気用ＣＤ自体を特定の独自性、例えば、香気知覚の地域特有の好みに固定することができる。即ち、例えば、よく知られているように、ヨーロッパでは、ジャスミンの香気は、アジアにおける程、評価されず、逆に、ピザの臭いは、ヨーロッパでは、例えば、日本におけるよりも高い位置をとる。香気用ＣＤ５自体に設定できる、例えば、地域特有の対応するプレコード５（第６図）によって（例えば、機械的プレコード５３によってまたは磁気ストライプ５０によって、第６図）、例えば、まず、国際的に統一されたＣＤを製造し、次いで、生産変更を行わずに上記ＣＤを（例えば、販売地域の）特殊な要求に適合させることができる。
【０１２５】
操作された香気放散の対応する（例えば、地域関連の）特定は、映画とともに送信される信号によって行うこともできる。即ち、対応する地域において例外的に評価されない香気と関連する送信信号は、送信機における対応する信号変更によって抑制されるか、地域特有に減衰される。
【０１２６】
更に、プレーヤの調節可能性として既に提案した如く、香気ディスクの対応するプレコードによって、全香気放散の強さまたは他の総括的放散性質（例えば、熱価またはインターバル・パターン）を調節できるよう構成できる。
【０１２７】
更に、各種の調節方式とプレコードとを組合せて、各利用者のために、プレーヤに記憶され利用者が呼出すことができる個別的な利用者パターンを作成することができる。この場合、単にノブなどを押すことによって、例えば、利用者関連の５種のプレコード、好ましい強さ調節、熱パターン、インターバル・バタンおよび量パターンを同時に呼出し、設定する。この種の利用者パターンは、更に、他の条件、例えば、利用者の実際の気分または他の性質、年齢，ｅｔｃ.に依拠できる。特定の香気は、例えば、印象をプラスに変更するために知られており、即ち、同一の映画の上演は、例えば、利用者の気分が抑圧されている場合、高潮した気分の場合とは異なる結果となる。この場合、総括して、香気随伴の映画、音楽などの上演の下記による少なくとも４種の変更が与えられる：即ち、一般的に、送信信号の変更またはディスクの変更および個々にプレーヤまたはディスクの調節。
【０１２８】
本発明の第７図の実施例の場合、例えば、特に長い映画の上映のため、単一ディスクの放散量よりも多量の香気が必要である場合には、２重の香気用ＣＤ・ユニットに極めて薄い機能層を設ける。この場合、上部の香気用ＣＤのディスク下半部９は、同時に、下部の香気用ＣＤのディスク上半部８として役立つ。
【０１２９】
第７ａ図の特にコンパクトな実施例の場合、双方の香気層の間に中間層は設けてなく、香気を導く各層は、それぞれ次の層がその上の層の間隙に位置するよう、配置されている。この場合、香気を導く２つの層の代わりに、両面に香気ストリップをプリントした香気誘導中央層を使用することもできる。
【０１３０】
香気層を全体的に香気用ＣＤ上に設けるために必要な面積は、特に、カプセル封入プロセスの基礎として選択される香気混合物の強さによって調整できる。
【０１３１】
極めて小さいスペースに設けることができる極めて強力な混合物が対象である場合、第７図の実施例の別の変更例にもとづき、香気を導く極めて細いスリット状チャンネルを同じく極めて細い保護パイプ２１ｓ内に立てて設けることもできる。この場合、細い保護パイプ２１ｓは、第７図の香気用ＣＤの右半部に示した如く、なお極めて偏平な香気用ＣＤに立てて並置してある。
【０１３２】
第８図に部分的に省略して示した本発明の実施例の場合、香気を導くフィルムおよび分離フィルム１２は、中間にあるカプセル封入香料が、空気などの通過時に自動的に破断して閉鎖、保存されていた香気を解放するよう、別の形状および配置にもとづき構成されている。即ち、例えば、製造プロセス中に香気源とともに相互に接着される双方のフィルム１１，１２には、折畳部分およびねじれ（曲がり）部分を設けることができ、この場合、通過する空気によって、折畳部分は開かれ、ねじれ部分は解捩される。この場合、香気を導くフィルム１１および分離フィルム１２は、同じく、相互に引離され、この際、香気は自動的に解放される。この場合、製造プロセス中、小さい香気ストリップまたはファイバをラセン状に統合または接着することもでき、この場合、香気を導く小さいラセン体は、保護パイプ２１内に流入する担持媒体（例えば、空気）によって解捩され、この際、香気を解放する。これは、多くの場合、香料カプセル内に貯蔵されてない香気である。
【０１３３】
第９図に示した香気用ＣＤの別の好ましい実施例の場合、それぞれ次の新しい香気の放散のためにＳ−ＣＤの捩れは避けられる。この場合、各香気トラック３１は、単に並置してあり、以降の放散操作中、それぞれ固有の供給ノズルを介して放散される。
【０１３４】
製造プロセス中に、既存の香気または別の香気用ＣＤで使用済みの香気の別の減力された香気を香気トラック３１に備える必要がある場合は、香気トラックの短い部分にのみ微量の香気源を設けることができる。この場合、変形された香気トラック３２が生ずる。かくして、上記香気を再び新たに混合する必要はなく、かくして、製造コストが節減される。新しい混合作業を回避するため且つディスクメーカで総括的に貯蔵しなければならない香気源の量を減少するため、新しい映画のために香気用ＣＤを製造する際、更に変形された多重香気トラック３６に、映画監督の考えに合うよう選択した複数の異種香気源を同時に設け、かくして、新構成の混合香気を形成することもできる。即ち、例えば、別の映画のために現有の新鮮な香気ストックから事前に作製した香気用ＣＤの新しい多重トラック３６の第１部分３７ａに花の香気源を設け、第２部分３７ｂに草原の香気源を設け、かくして、双方の香料の共働によって、お花畑の匂いの印象が生ずる。
【０１３５】
上記実施例の別の変形香気トラック３４の場合、香料は、通常の空気圧では部分的にのみ展開するよう設けてある。この場合、空気圧が強くなって始めて、香気を導く分離フィルム１２の残余部分が分離される（例えば、第２ｂ図および第４ｂ図参照）。フィルムの各種の折曲によっても同様な結果が得られる。
【０１３６】
第９図の香気用コンパクトディスク１の第１０図および第１１図に示した変更例の場合、スリップ状チャンネル３に設置された香気マイクロカプセル１９は、空気の侵入に起因する分離フィルム１２の引離によって自動的に賦活されず、手で賦活する。この場合、分離フィルムは、入口２の範囲において、取手状外部部材、即ち、いわゆる、アクチベータ６１において相互に結合される。
【０１３７】
使用者は、映画の香気随伴上演を見ることを意図した場合、分離フィルムのアクチベータ６１を引張る（第１１図）。この場合、すべての分離フィルムは、香気を導く他のフィルムによって同時に引張られ、かくして、賦活される。次いで、賦活されたこのディスクをプレーヤに挿入する（第１５図）。この場合、同時に賦活された香気は、保護パイプ内にとどまるので、混合されず、または、流出しない。ディスクのこの変更例によって、プレーヤの所要空気圧を明らかに低下できる。なぜならば、この空気圧は、分離フィルム１２がフィルム上面１１から自動的に引離される程度に強ければよいからである。この場合も、香気は、使用直前まで、香気カプセル１９内で賦活状態にある。この実施例の別の変更例（図示してない）の場合、例えば、香気を導くフィルム上面１１に、香気を導く新規の被覆層、即ち、いわゆる、香気誘導接触コーティング５８を使用する。さて、香気誘導接触コーティング５８は、２つのフィルム１１，１２の相互の分離によっては賦活されず、接触コーティング５８の表面との接触によってのみまたは接触コーティング上の対象の掃過によってのみ賦活される。この場合、接触コーティング５８は、香気用ＣＤ内に、双方のディスク半部の１つの半部８または９の片面にまたは香気誘導フィルム１１，１２の１つに被覆するのが好ましい。さて、香気誘導部分１１／１２／８／９の前に、操作前に手操作でまたは自動的にプレーヤによって分離されるアクチベータ６１を設ける。この場合、香気誘導部分１１／１２／８／９およびアクチベータ６１は、共同して香気マトリックス６０を形成する。さて、アクチベータ６１を除去すれば、香気マトリックス６０内にある接触コーティング５８は、この際にコーティング内にある香料が賦活されるよう接触される。次いで、香気用ＣＤ内で賦活された香気は、既述の実施例の場合と同様に、特定の信号によって引出され、放散される。
【０１３８】
本発明の他の変更例の場合、香気誘導コーティングは、マイクロカプセルに封入され、真空、光、熱または他のトリガ作用によって賦活される香料を備えている。この種のディスクの香気を放散する前に、まず、対応するトリガ作用によって内在の香料を賦活し、放散操作のためにスタンバイ状態とする。
【０１３９】
即ち、例えば、放散操作前に光源、例えば、レーザ光を香気トラックへ向けることによって、光感性香料または光感性シールを賦活できる。この種の香気トラックを、更に、入口シール１０および出口シール２２によって閉鎖した場合、トリガ因子（例えば、レーザ光）の導入前に、上記シールを除去するか非作用状態とする。
【０１４０】
この実施例の別の変更例の場合、ディスクは、第１図に示した如く、円形の偏平受容体として形成されている。この場合、双方のためにディスク半部８，９は、本質的に部分的にのみ相互に結合されている。この場合、ディスク半部の結合は、ディスク半部が相互に分離されないが中心軸線のまわりに相対回転できるよう、構成するのが好ましい。さて、この種のディスクを賦活する場合、上下のディスク半部８，９を軸線のまわりに若干相対回転する。この場合、内部にある香気誘導接触コーティング５８が、内在のまたは外部のトリガ因子による上面掃過によって賦活され、ディスクが、操作スタンバイ状態となる。
【０１４１】
第１２ａ，ｂ図に示した本発明の別の実施例の場合、香気用ＣＤは、運搬、発送および保管のため、従来の実施例の場合よりも更に偏平に構成され、この場合、空気，ｅｔｃ.の流通可能性は全くない。即ち、この実施例の場合、内在の香料に沿う空気流動を可能とする第２ａ，ｂ図および第４ａ，ｂ図に示した排気中空スペース１３または他の中空スペースは、運搬中（第１２ａ図）、まだ伸張されてなく、従って、この種の香気用ＣＤは、音楽ＣＤ／ＣＤ−ＲＯＭの径寸法に近い。
【０１４２】
さて、香気用ＣＤのこの実施例を操作する場合、本来の放散操作の前に、まず、この香料用ＣＤを手操作でまたはプレーヤによって自動的に運搬容積よりも幾分大きい容積に拡大する。この容積拡大は、例えば、上下のディスク半部８，９に外側に小さい側部係合部３５を設けることによって、行うことができる。この場合、利用者は、例えば、貨幣をこの側部係合部３５に挿入、回転して、香気用ＣＤ半部８，９を相互に若干ずらす。ＣＤ半部の間のこの間隔は、放散操作中、スペーサ３８によって保持される。この場合、香気用ＣＤの引伸は、プレーヤによって自動的に行うこともできる。この場合、この引伸操作後に始めて、香気用ＣＤのスリット状チャンネル３に貯蔵された香料に沿うまたは他の内在の香気接触面に沿う空気または他の媒体の掃過のために必要なスペースが形成される（第１２ｂ図）。この場合、空気流の明確な配向のため、更にスリット状チャンネル３または別の香気誘導面のまわりに気密なパイプ（管状流路ないしチャンネル）が形成されるよう、この実施例の場合、従来の分離ウェブの代わりに、容積拡大中に破断せずに直立される改良した可撓性分離ウェブ１７を設ける。この場合、可撓性分離ウェブ１７の端部は、例えば、合成樹脂製ヒンジ６４を介してディスク半部８，９に結合されている。
【０１４３】
第１２ａ，ｂ図の実施例の第１３ａ，ｂ図に示した別の変更例の場合、上下のディスク半部８，９の引伸操作（第１２ａ，ｂ図参照）と同時に、内部の香気マイクロカプセル１９が賦活される。即ち、この場合、香気誘導フィルム８，９は、引伸操作によって既に、少なくとも中心範囲において相互に分離される。
【０１４４】
この場合、通過する空気などは、香気誘導フィルム８，９を相互に分離するための力を加える必要はなく、既に開放された香気カプセル１９に沿って自由に流動できる。この場合、香気マイクロカプセル１９は、好ましくは、保護パイプ２１内に完全なスリット状チャンネル３または香気誘導フィルム１１および／または１２がもはや存在しないよう設置できる（第１３ａ図）。
【０１４５】
この場合、香気マイクロカプセル１９は、ディスク上半部８および／またはディスク下半部９に直接に設置または接着される。この場合、ディスク半部８，９は、更に、可撓性分離ウェブ１７を介して結合され、香気カプセル１９が直接にディスク半部８，９の間に位置するよう折畳まれる（第１３ａ図）。さて、ディスク半部８，９を引伸ばすと、ディスク半部間にある偏平な可撓性分離ウェブ１７が直立し、一方では、ディスク半部間に接着された香気マイクロカプセル１９が引裂かれ、開かれたカプセル２０となり、他方、引伸とともにおこなわれる容積拡大によって、同時に、空気などの流動のためにディスク内に必要な容積が形成される（第１３ｂ）。
【０１４６】
この実施例の別の変更例（図示してない）の場合、内部の香料に沿う空気流動を可能とする排気中空スペース１３または他の中空スペースは、運搬状態または閉鎖状態では、同じく、伸張していない。このディスク変更例は、同時に、マイクロカプセル封入された香料を有しておらず、この場合、香料は、上述の別の方法でディスクに設置され、かくして、時間がかかる場合によるカプセル封入操作が不要であることによって、特定の事象のためのディスクを極めて短時間で作製できる。カプセル封入されていない香料を含むこの種のディスクの本質的に不良な保存性は、香気ディスクのこの変更例の場合、（第１２ａ，ｂ図または第１３ａ／ｂ図の実施例の場合と同様に）閉鎖状態においてはなお存在しない中空スペース１３を香料トラックに密着させ、かくして、保存効果を達成することによって、部分的に補償される。この場合、香料トラックの上方の中空スペースを十分に排除することによって、香料の１種のシール状態が達成され、従って、酸素および劣化プロセスを加速する他の物質の侵入が阻止される。
【０１４７】
さて、短時間の消費向けの上記ディスクを操作直前に引伸ばす場合、同じく、十分な空気量の流動に必要な中空スペース１３が形成される（第１３ａ図から第１３ｂ図へ先行実施例を変形した場合と同様である）。
【０１４８】
この実施例の別の変更例（図示していない）の場合、同じく、空気，ｅｔｃ.の流動のための内部容積は、全く形成されないか、極めて僅かに形成されるに過ぎない。この場合、しかしながら、香気誘導スリット状チャンネル３の賦活時に、スリット状チャンネルの壁が、チャンネルのまわりになお容積が存在する程度に伸張するよう、少なくともスリット状チャンネル３を完全にまたは部分的に弾性的に構成する。この場合、ポンプアップされた空気は、香気担持材料２６に沿って、香気マイクロカプセル１９に沿ってまたは内部の他の香気貯蔵箇所に沿って流動できる。この場合、賦活されたスリット状チャンネル３内に生じた圧力が、スリット状チャンネルのまわりの保護層（例えば、保護パイプ２１）にも伝達されるので、上記保護層は、賦活中に短時間、撓むことができ、かくして、所定量の空気流動を可能とするよう構成する。この種の弾性的スリット状チャンネルは、同じく、上記の他の実施例にも使用できる。
【０１４９】
更に、直前に述べた実施例によって、それ自体はほぼ容積を必要としない香料を運搬のため極めて小面積に構成でき、他方、香料放散時に同時に、香料に沿って流れる空気容積の横断面積を増大できる。
【０１５０】
第１４図に示した本発明の別の実施例は、第６図の実施例の変更例である。この場合、操作されたディスクの簡単なリサイクルのため、更に、製造の簡単化のため、まず、ディスク上半部８とディスク下半部９との間に合成樹脂製ヒンジ５２を設ける（第１４図）。このような一体の折畳式ディスク４９を製造する場合、ディスク半部８，９は、はめ合うよう供給する必要はなく、合成樹脂製ヒンジ５２によって、既に相互に結合、固定されている。香気誘導フィルム１１，１２は、その製造、接合部、折畳式ディスク４９のディスク半部８，９の間に差込めばよく、次いで、ディスク半部を折畳み、香気誘導フィルム層１１，１２を固定する。
【０１５１】
更に、折畳式ディスク４９の他端におけるディスク半部８，９の外れ難い場合による溶接を避けるため、上記端部に、ディスク半部８，９の折畳時に係合し、かくして、折畳式ディスクを折畳状態に固定する１つまたは複数の係止突起５７を形成する。この場合、係止突起５７は、ディスク開放が手操作では不可能で特殊の器具を必要とするよう、折畳式ディスク４９に設置するのが好ましい。折畳式ディスク４９またはその保護パイプ２１の外部密封性は、溶接された香気用ＣＤの場合ほど十分でないので、この場合、内部の香気誘導フィルム１１，１２は、香気誘導偏平チャンネル３３として保持されるよう構成するのが好ましい。この場合、流動する空気流は、偏平チャンネル３３のみを介して送られ、この場合、保護パイプ２１による密封は不要である。
【０１５２】
ディスクが、完全に操作され、リサイクル中に、内部の香気誘導フィルム１１，１２およびチャンネルをディスク半部から分離する場合、折畳式ディスク４９を特殊装置に開き、層１１，１２または２３，ｅｔｃ.を除去し、次いで、新しい香気誘導フィルムをディスクに装着する。処理時に保護スリーブまたはディスク半部８，９も処理する場合は、香気誘導フィルムの分離後、上記部材を、同じく、リサイクルに送る。対応して、ディスク半部８，９または折畳式ディスク４９のために、機能目的を満足するとともに生物学的に分解するおよび／または再使用可能な材料を使用できる。
【０１５３】
第１４図の本発明の実施例の変更例の場合、折畳形状にも拘わらず、ディスク上半部８とディスク下半部９との間の結合部は、同時に、接着結合部、溶接結合部，ｅｔｃ.として構成できる。この場合、上記結合部は、ディスク処理のために破断して香気誘導層を除去できるよう、構成するのが好ましい。
【０１５４】
本発明の別の実施例（図示してない）の場合、各香気誘導フィルムは並置ではなく順次に接合してあり、かくして、全体として、意図する上演のためのすべての香気源を設けた香気誘導ストライプ（帯状部）が生ずる。この場合、香気誘導ストライプは、同じく、好ましくはマイクロカプセルの形に香料を相互間に貯蔵した上下のフィルムから構成される。この場合、上記ストライプ上の香気誘導ストライプの長さは、標準化されており、従って、所定長さだけ２フィルム形ストライプを送ることによって新しい香気を正確に位置決めできる。
【０１５５】
さて、香気放散を意図する場合、所定の香気を含むストライプが保護チャンネルの前に来るよう、対応する信号によって制御して正確に２フィルム形ストライプを送る。この場合、ストライプの香気誘導フィルムは、保護チャンネルの範囲において露出し且つ香気カプセルが開かれるよう相互に分離する。さて、保護チャンネルは、開かれたマイクロカプセルから放出された香気含有空気を出口まで導く。この場合、保護チャンネルは、複数の香気の運搬のためまたは放散される香気のために設けてある。
【０１５６】
香気ストライプの種類のこの保存形態は、同一の香気または幾分異なる香気の反復放散に特に好適である。即ち、この形態の場合、好ましくは、長時間にわたって完璧な形で放散される唯一つのまたは少数の香気の放散のための保存形態が対象である。
【０１５７】
本発明の別の実施例（図示してない）の場合、香気用ＣＤは、音楽ＣＤプレーヤと組合せてまたはコンピュータゲームの推移中、放散操作される。通行する関心のある顧客のために、食品または飲料自動販売機からボタンを押してまたは自動的に香気用ＣＤを放散操作する限り、他の用途が生ずる。この場合、香気用ＣＤには、異種ではない、同一の香気源を、例えば、５０回設置できる。この場合、提供される香気を新鮮に最適に保持するため、大容積の液状香料容器の代わりに、主として香気用ＣＤを使用する。このような新鮮保持は、空気と常に接触する液状香料タンクの場合、概ね、永続的には不可能である（前の前の改行部参照）。
【０１５８】
更に、特定の事象のために所望の箇所において香気または極めて多数の異種の香気を自動的に完全な形で放散することを始めて可能とし、必要に応じて顧客または観客の個人的感覚に上記香気を適合させるこの種の香気用ＣＤは、多様な広い用途のために使用できる。これは、特に、上記用途において、従来は、香気印象の適用を放棄せざるを得ない場合に当てはまる。なぜならば、この場合、概ね、香気は、スペース内にブローしなければならないからである。かくして、上記香気を不快に感ずるまたは上記香気の印象を過度に弱くまたは強く感ずる多数の顧客は、撹乱されたと感ずることになる。本発明の提案の如く分散配置され所望の態様および品質で香気を放散する多重香気貯蔵器は、すべてを杓子定規に処理するという上記問題点を回避でき、各顧客のために、個人的に望ましい箇所、時間に且つ態様および強さで快適な香気体験を可能とする。
【０１５９】
本発明の詳細には説明しない別の実施例の場合、上記実施例またはその部分から多様の組合せを構成できる。
【図面の簡単な説明】
【図１】第１図は、香気用コンパクトディスク、即ち、香気用ＣＤの図面である。
【図２】第２ａ図は、スリット状チャンネルが非賦活状態の第１図の香気用コンパクトディスク／香気用ＣＤの部分断面図であり、第２ｂ図は、スリット状チャンネルが賦活状態の第１図の香気用コンパクトディスク／香気用ＣＤの部分断面図である。
【図３】第３図は、第１図の香気用ＣＤの変更例の横断面図である。
【図４】第４ａ図は、非賦活状態の第１図の香気用コンパクトディスク／香気用ＣＤの部分横断面図であり、第４ｂ図は、部分的賦活状態の第１図の香気用コンパクトディスク／香気用ＣＤの部分横断面図であり、第４ｃ図は、完全賦活状態の第１図の香気用コンパクトディスク／香気用ＣＤの部分横断面図である。
【図５】第５図は、各機能層を示す第１図の香気用ＣＤの分解図である。
【図６】第６図は、地域特有のフィルタコードを有する放散制限式香気用コンパクトディスクの別の実施例および放散装置の部分を示す図面である。
【図７】第７図は、香気用ＣＤの別の実施例の図面であり、第７ａ図は、第７図の変更例の図面である。
【図８】第８図は、香気用コンパクトディスクの別の実施例の部分横断面図である。
【図９】第９図は、香気用ＣＤの別の実施例の下部ディスクフレームの図面である。
【図１０】第１０図は、手動賦活式香気用ＣＤの別の実施例の図面である。
【図１１】第１１図は、第１０図の実施例の縦断面図である。
【図１２】第１２ａ図は、運搬のために縮小した香気用ＣＤの別の実施例の図面であり、第１２ｂ図は、広げた状態、即ち、放散スタンバイ状態の第１２ａ図の香気用ＣＤの実施例の図面である。
【図１３】第１３ａ図は、運搬のために縮小した運搬状態の香気用ＣＤの別の実施例の図面であり、第１３ｂ図は、賦活状態の第１３ａ図の香気用ＣＤの実施例の図面である。
【図１４】第１４図は、折畳式ディスクとしての香気用ＣＤの別の一体の実施例の図面である。
【図１５】第１５図は、操作装置２４の略横断面図である。
【図１】
0004033488.tif 000002
【図２ａ】
0004033488.tif 000003
【図２ｂ】
0004033488.tif 000004
【図３】
0004033488.tif 000005
【図５】
0004033488.tif 000006
【図４ａ】
0004033488.tif 000007
【図４ｂ】
0004033488.tif 000008
【図４ｃ】
0004033488.tif 000009
【図６】
0004033488.tif 000010
【図７】
0004033488.tif 000011
【図７ａ】
0004033488.tif 000012
【図８】
0004033488.tif 000013
【図９】
0004033488.tif 000014
【図１０】
0004033488.tif 000015
【図１１】
0004033488.tif 000016
【図１２ａ】
0004033488.tif 000017
【図１２ｂ】
0004033488.tif 000018
【図１３ａ】
0004033488.tif 000019
【図１３ｂ】
0004033488.tif 000020
【図１４】
0004033488.tif 000021
【図１５】
0004033488.tif 000022